(57)【要約】【課題】器具中心線表や裏面接続図を効率よく作成することができ、かつシーケンス回路図上において接続線の線属性の確認が簡単に行えるシーケンス回路図結線情報設定装置を得ること。【解決手段】制御装置２３は、シーケンス回路図作成装置２０が作成したシーケンス回路図の回路毎に指定された電線の色情報（電線色、相色別）をルール定義ファイル１７，１８に設定し、シーケンス回路図上の線番から回路を判別し、判別した回路に基づきルール定義ファイル１７，１８を参照して該当する色情報を当該接続線の線属性としてシーケンス回路図上の該当位置に設定する。制御装置２３は、線サイズや色情報（電線色、相色別）の指定を受けて該当する接続線をハイライト表示する。【選択図】      図１
2004287739.tif 000002
【特許請求の範囲】
【請求項１】
シーケンス回路図の回路毎に線番属性の命名パターンを定義したルール定義ファイルと、
シーケンス回路図の回路毎に指定された電線の色情報（電線色、相色別）を前記ルール定義ファイルに設定する第１設定手段と、
前記シーケンス回路図上の線番から回路を判別し、判別した回路に基づき前記ルール定義ファイルを参照して該当する色情報を当該接続線の線属性としてシーケンス回路図上の該当位置に設定する第２設定手段と、
を備えたことを特徴とするシーケンス回路図結線情報設定装置。
【請求項２】
前記第１設定手段は、
シーケンス回路図の回路毎に電線の色情報を一括して選択指定できる一括指定画面を表示し、前記一括指定画面にて指定された電線の色情報を前記ルール定義ファイルに一括設定する、
ことを特徴とする請求項１に記載のシーケンス回路図結線情報設定装置。
【請求項３】
前記色情報が線属性として設定されたシーケンス回路図を表示する画面において、選択操作によって選択された接続線をハイライト表示するとともに、電線サイズや色情報の選択一覧を表示する手段を備え、
前記第２設定手段は、
前記選択一覧にて指定された電線サイズや色情報を前記ハイライト表示した接続線の線属性としてシーケンス回路図上の該当位置に設定する、
ことを特徴とする請求項１または２に記載のシーケンス回路図結線情報設定装置。
【請求項４】
前記第１設定手段は、
前記選択一覧にて指定された電線の色情報を前記ルール定義ファイルに設定する、
ことを特徴とする請求項３に記載のシーケンス回路図結線情報設定装置。
【請求項５】
前記色情報が線属性として設定されたシーケンス回路図を表示する画面において、電線サイズや前記色情報の指定入力があったとき、指定された電線サイズや色情報と同じ電線サイズや同じ色情報を有する接続線を当該シーケンス回路図上において検索し、検索した全ての接続線を所定の色でハイライト表示する手段、
を備えたことを特徴とする請求項１〜４のいずれか一つに記載のシーケンス回路図結線情報設定装置。
【発明の詳細な説明】
【０００１】
【発明の属する技術分野】
この発明は、各種電気機器における電気図面の一つであるシーケンス回路図の線情報をシーケンス回路図上に設定するシーケンス回路図結線情報設定装置に関するものである。
【０００２】
【従来の技術】
各種電気機器における電気図面には、シーケンス回路図や器具中心線表、裏面接続図などが存在する。シーケンス回路図は、計算機による設計支援システム（ＣＡＤ）を用いて作成される。そして、器具中心線表は、このように作成したシーケンス回路図から抽出して作成し、またその作成した器具中心線表を基に裏面接続図を作成していた。
【０００３】
ここで、器具中心線表の作成では、大部分の項目は自動的に設定されるが、電線の属性に関しては、手作業で設定していた。すなわち、電線のサイズは、機器シンボルの機器符号属性から電線サイズマスタファイルを参照して設定する。また、電線色や相色別は、線番やシーケンス回路図面の内容から回路を判別し、その回路に対応する電線色や相色別を別に用意した表を参照して設定していた。
【０００４】
そして、作成した器具中心線表や裏面接続図において、自動的に設定できない項目の設定やシーケンス回路図上での設定誤りの修正、線情報（電線サイズ、電線色、相色別）の調整を行っていた。
【０００５】
一方、例えば特許文献１では、それぞれ位置指定されたシンボル位置に所望のシンボルを割り付けてシーケンス回路図を作成するシーケンス回路ＣＡＤシステムにおいて、各シンボルは、シンボル位置に対応してシンボル属性とともに記憶装置に記憶され、このシンボル属性として、機器シンボルに対しては機器符号属性が、そして、接続シンボルに対しては線番属性が与えられるようにしたシーケンス回路ＣＡＤシステムが開示されている。つまり、この特許文献１では、シーケンス回路図の接続線に関するデータの検索が可能となるようにしているが、検索結果の参照は表形式で行うようにしている。
【０００６】
【特許文献１】
特開平９−２８２３４７号公報（００２４〜００２６、図１）
【０００７】
【発明が解決しようとする課題】
しかしながら、シーケンス回路図から器具中心線表や裏面接続図を作成する場合、電線色や相色別は、上記のように線番などを参照しながら手作業で設定していたので、作成に時間が掛かり、また入力ミスが発生するという問題がある。
【０００８】
設定した電線情報の内容は、シーケンス回路図から抽出して作成した表形式による器具中心線表やその器具中心線表を基に作成した裏面接続図を参照し確認しているので、確認作業に時間が掛かるという問題もある。
【０００９】
この発明は、上記に鑑みてなされたもので、器具中心線表や裏面接続図を効率よく作成することができ、かつシーケンス回路図上において接続線の線属性の確認が簡単に行えるシーケンス回路図結線情報設定装置を得ることを目的とする。
【００１０】
【課題を解決するための手段】
上記目的を達成するため、この発明にかかるシーケンス回路図結線情報設定装置は、シーケンス回路図の回路毎に線番属性の命名パターンを定義したルール定義ファイルと、シーケンス回路図の回路毎に指定された電線の色情報（電線色、相色別）を前記ルール定義ファイルに設定する手段と、前記シーケンス回路図上の線番から回路を判別し、判別した回路に基づき前記ルール定義ファイルを参照して該当する色情報を当該接続線の線属性としてシーケンス回路図上の該当位置に設定する手段とを備えている。
【００１１】
そして、前記色情報が線属性として設定されたシーケンス回路図を表示する画面において、選択操作によって選択された接続線をハイライト表示するとともに、電線サイズや色情報の選択一覧を表示し、前記選択一覧にて指定された電線サイズや色情報を前記ハイライト表示した接続線の線属性としてシーケンス回路図上の該当位置に設定する手段を備えている。
【００１２】
また、前記色情報が線属性として設定されたシーケンス回路図を表示する画面において、電線サイズや前記色情報の指定入力があったとき、指定された電線サイズや色情報と同じ電線サイズや同じ色情報を有する接続線を当該シーケンス回路図上において検索し、検索した全ての接続線を所定の色でハイライト表示する手段を備えている。
【００１３】
この発明によれば、シーケンス回路図の回路毎に線番属性の命名パターンを定義したルール定義ファイルを用意し、シーケンス回路図の回路毎に電線の色情報を指定すると、その指定された電線の色情報が前記ルール定義ファイルに設定される。そして、シーケンス回路図上の線番から回路が判別され、それに基づき前記ルール定義ファイルを参照して該当する色情報を当該接続線の線属性としてシーケンス回路図上の該当位置に設定される。このように、電線の色情報をシーケンス回路図上の該当位置に設定することができる。
【００１４】
そして、前記色情報が線属性として設定されたシーケンス回路図を表示する画面において、電線サイズや色情報の設定を変更することができ、また接続線を指定してハイライト表示させ、設定内容を確認することができる。
【００１５】
【発明の実施の形態】
以下に添付図面を参照して、この発明にかかるシーケンス回路図結線情報設定装置の好適な実施の形態を詳細に説明する。
【００１６】
図１は、この発明の一実施の形態であるシーケンス回路図結線情報設定装置の構成を示すブロック図である。図２は、図１に示したシーケンス回路図作成装置が作成したシーケンス回路図の一例を示す図である。図３は、図１に示した電線色マスタファイルの一例を示す図である。図４は、図１に示した電線サイズマスタファイルの一例を示す図である。図５は、図１に示した相色別マスタファイルの一例を示す図である。図６は、図１に示したハイライト色ファイルの一例を示す図である。図７は、図１に示した色情報設定ファイルの一例を示す図である。図８は、図１に示した電線色設定用ルール定義ファイルの一例を示す図である。図９は、図１に示した相色別設定用ルール定義ファイルの一例を示す図である。図１４は、作成された器具中心線表の一例を示す図である。
【００１７】
図１に示すシーケンス回路図結線情報設定装置は、電線色マスタファイル１１と、電線サイズマスタファイル１２と、相色別マスタファイル１３と、ハイライト色設定ファイル１４と、色情報設定ファイル１５と、入力装置１６と、電線色設定用ルール定義ファイル１７と、相色別設定用ルール定義ファイル１８と、器具中心線表設定ファイル１９と、シーケンス回路図作成装置２０と、表示装置２１と、出力装置２２と、制御装置２３とがバス２４を介して接続されて構成されている。
【００１８】
シーケンス回路図作成装置２０は、例えば図２に示すようなシーケンス回路図を表示装置２１を用いて会話形式で作成する良く知られた装置である。なお、図２に示すシーケンス回路図は、この実施の形態で説明対象としているシーケンス回路図の一部である。入力装置１６は、キーボードやマウスなどを備えている。出力装置２２は、ここでは印刷装置を想定している。
【００１９】
電線色マスタファイル１１は、各種の電気機器で使用する電線の色情報を例えば図３に示すように格納するデータベースである。図３では、電線色＜Ｄｅｎｓｅｎｓｈｏｋｕ＿Ｔｉｔｌｅ＞と、その電線色を示す記号＜Ｃｏｌｏｒ＿Ｔｉｔｌｅ＞とが定義されている。この実施の形態では、後述するように、記号＜Ｃｏｌｏｒ＿Ｔｉｔｌｅ＞が線属性としてシーケンス回路図上に設定される。
【００２０】
電線サイズマスタファイル１２は、各種の電気機器で使用する電線のサイズ情報を例えば図４に示すように格納するデータベースである。図４では、電線サイズ＜Ｓｅｎ＿Ｓｉｚｅ＿Ｔｉｔｌｅ＞とその電線サイズを示す記号＜Ｓｅｎ＿Ｓｉｚｅ＿Ｔｙｐｅ＞とが定義されている。
【００２１】
相色別マスタファイル１３は、三相各相の色情報を例えば図５に示すように格納するデータベースである。図５では、相色別＜Ｓｏｓｈｉｋｉｂｅｔｓｕ＿Ｔｉｔｌｅ＞と、その相色別を示す記号＜Ｓｏｓｈｉｋｉｂｅｔｓｕ＿Ｔｙｐｅ＞とが定義されている。相色別＜Ｓｏｓｈｉｋｉｂｅｔｓｕ＿Ｔｉｔｌｅ＞では、「不要」「赤」「黄」「橙」が定義されている。この実施の形態では、後述するように、記号＜Ｓｏｓｈｉｋｉｂｅｔｓｕ＿Ｔｙｐｅ＞が線属性としてシーケンス回路図上に設定される。
【００２２】
ハイライト色設定ファイル１４は、接続線の確認作業時に実施するこの実施の形態によるハイライト表示において、その表示色を例えば図６に示すように定義して格納するデータベースである。内容は後述する。
【００２３】
色情報設定ファイル１５は、接続線の確認作業時に実施するこの実施の形態によるハイライト表示においてその表示色の輝度を例えば図７に示すように定義して格納するデータベースである。内容は後述する。
【００２４】
電線色設定用ルール定義ファイル１７は、この実施の形態によるもので、例えば図８に示すように、作成するシーケンス回路図に存在する「ＤＣ１００Ｖ／１１Ｖ」「ＤＣ２４Ｖ」「ＰＴ回路」「ＣＴ回路」「接地」「クリーン・クリーン」の回路毎に、線番属性の命名パターンが定義して登録されている。全ての回路に定義される電線色＜Ｄｅｎｓｅｎｓｈｏｋｕ＞は、後述する一定の選択操作によって一括設定できるようになっている。
【００２５】
相色別設定用ルール定義ファイル１８は、この実施の形態によるもので、例えば図９に示すように、作成するシーケンス回路図に存在する第１相、第２相、第３相の相毎に、線番属性の命名パターンが定義して登録されている。三相の相色別＜Ｓｏｕｓｈｉｋｉｂｅｔｓｕ＿ｃｏｌｏｒ＞は、後述する一定の選択操作によって一括設定できるようになっている。
【００２６】
器具中心線表設定ファイル１９には、図２に示すようなシーケンス回路図に基づき作成された例えば図１４に示すような器具中心線表が格納されるようになっている。制御装置２３は、以上の各要素を統括制御し、この実施の形態による各種の機能を実現するようになっている。
【００２７】
すなわち、制御装置２３は、（１）電線色設定用ルール定義ファイル１７と相色別設定用ルール定義ファイル１８とを用いてシーケンス回路図作成装置２０が作成したシーケンス回路図上に各回路の線属性を一括して設定すること、（２）シーケンス回路図上に設定した線属性を変更する場合にその変更の内容をシーケンス回路図上に設定すること、（３）シーケンス回路図上で確認作業が行えるように、接続線のハイライト表示を行うこと、（４）そして、上記（１）（２）の過程で、シーケンス回路図上に設定した各回路の線属性を器具中心線表設定ファイル１９に自動的に設定することを行うようになっている。
【００２８】
次に、以上のように構成されるシーケンス回路図結線情報設定装置の動作について説明する。まず、図１、図２、図８〜図１１を参照して、シーケンス回路図上に各回路の線番属性を一括して設定する動作について説明する。なお、図１０は、線色一括設定ダイアログを示す図である。図１１は、相色別一括設定ダイアログを示す図である。
【００２９】
電線色の設定では、設計者は、入力装置１６を操作して表示装置２１に例えば図１０に示すような線色一括設定ダイアログを表示させる。なお、このとき、表示装置２１には、シーケンス回路図作成装置２０が作成したシーケンス回路図が表示されていても良い。
【００３０】
図１０では、回路として、「ＤＣ１００Ｖ／１１Ｖ」「ＤＣ２４Ｖ」「ＰＴ回路」「ＣＴ回路」「接地」「クリーン・クリーン」が表示され、各回路表示に対し色の選択ウインドウが表示されている。選択ウインドウのボタン▼をマウスなどで操作すると色の選択リストが表示されるので、その中から１つの色を選択指定する。色の選択リストは、図３に示した電線色マスタファイルに基づき作られている。
【００３１】
全ての回路について選択操作が終了し、ＯＫボタンをマウスなどで操作すると、制御装置２３によって設定内容が図８の対応する回路における＜Ｄｅｎｓｅｎｓｈｏｋｕ＞に設定される。図８では、回路「ＤＣ１００Ｖ／１１Ｖ」では「黄」、回路「ＤＣ２４Ｖ」では「橙」、回路「ＰＴ回路」では「黄」、回路「ＣＴ回路」では「黄」、回路「接地」では「緑」、回路「クリーン・クリーン」では「橙」がそれぞれ設定されるとしている。
【００３２】
また、相色別の設定では、設計者は、入力装置１６を操作して表示装置２１に例えば図１１に示すような相色別一括設定ダイアログを表示させる。なお、このとき、表示装置２１には、シーケンス回路図作成装置２０が作成したシーケンス回路図が表示されていても良い。
【００３３】
図１１では、第１相、第２相、第３相と各相が表示され、各相表示に対し色の選択ウインドウが表示されている。選択ウインドウのボタン▼をマウスなどで操作すると相色別の選択リストが表示されるので、その中から１つの色を選択指定する。相色別の選択リストは、図５に示した相色別マスタファイルに基づき作られている。
【００３４】
全ての相について選択操作が終了し、ＯＫボタンをマウスなどで操作すると、制御装置２３によって設定内容が図９の対応する相における＜Ｓｏｕｓｈｉｋｉｂｅｔｓｕ＿ｃｏｌｏｒ＞に設定される。図９では、各相とも、色指定不要となっている。
【００３５】
制御装置２３では、以上のようにルール定義ファイルへの設定が終了すると、適宜な時に、シーケンス回路図作成装置２０が作成したシーケンス回路図において、線番から回路を判別し、判別した回路に基づきルール定義ファイル（図８、図９）を参照し、そこで定義されている線番属性の命名パターンに従い、該当する色情報（電線色、相色別）を当該接続線の線番属性としてシーケンス回路図上の該当位置に設定する。
【００３６】
電線色を例に挙げて具体的に説明する。図８に示す電線色設定用ルール定義ファイルにおいて、＜Ｋａｉｒｏ＿Ｔｉｔｌｅ  ｐｒｉｏｒｉｔｙ＝２＞ＤＣ１００Ｖ／１１０Ｖ  は、ＤＣ１００Ｖ／１１０Ｖの回路を判定するルールの優先順位が２番目であることを示している。そして、＜Ｋａｉｒｏ＿ｆｏｒｍａｔ＞＾Ｐ＜／Ｋａｉｒｏ＿ｆｏｒｍａｔ＞で設定した内容は、線番の検索用正規表現を示している。
【００３７】
先頭がＰで始まる線番は、＜Ｋａｉｒｏ＿Ｔｉｔｌｅ  ｐｒｉｏｒｉｔｙ＝１＞接地のＬＧ、ＦＧと一致しないので、＜Ｋａｉｒｏ＿Ｔｉｔｌｅ  ｐｒｉｏｒｉｔｙ＝２＞ＤＣ１００Ｖ／１１０Ｖ  のＤＣ１００Ｖ／１１０Ｖの回路と判断し、黄色を設定することになる。黄色は、図３に示す電線色マスタファイルでは、記号Ｄとなっているので、シーケンス回路図上には黄色を示す記号Ｄが設定される。
【００３８】
次に、図１〜図５、図１２を参照して、シーケンス回路図上に設定した線属性を変更する場合にその変更の内容をシーケンス回路図上に設定する動作について説明する。なお、図１２は、個別設定ダイアログを示す図である。
【００３９】
設計者は、基本設定において設定された線サイズや、上記のように設定したルール定義ファイル（図８、図９）における色情報（電線色、相色別）を確認し、実際の仕様に合わない設定が行われている接続線が存在する場合に、その変更を次のようにして行うことができる。
【００４０】
すなわち、設計者は、以上のように色情報（電線色、相色別）が線属性として設定されたシーケンス回路図を表示装置２１に表示させた状態で、入力装置１６のマウスを用いて設定変更を行いたい全て接続線を選択指定する。この選択操作に応答して、制御装置２３は、選択指定された全ての接続線を任意の一色でハイライト表示する。設計者がハイライト表示された接続線を指定してダブルクリックすると、制御装置２３は、指定終了と認識し、表示装置２１に例えば図１２に示すような個別設定ダイアログを表示させる。
【００４１】
図１２では、電線サイズ設定用のダイアログ（線サイズ設定ダイアログ）が示されている。すなわち、図１２では、表題「線サイズ」と「選択ウインドウ」とが表示されている。選択ウインドウのボタン▼をマウスなどで操作すると線サイズの選択リストが表示されるので、その中から１つの線サイズを選択指定する。線サイズの選択リストは、図４に示した電線サイズマスタファイルに基づき作られている。
【００４２】
選択操作が終了し、ＯＫボタンをマウスなどで操作すると、制御装置２３は、当該線サイズ設定ダイアログにて選択指定された電線サイズを上記任意の一色でハイライト表示した全ての接続線の線属性として設定する。このように、基本設定において設定された線サイズを簡単に変更することができる。電線色や相色別についても同様の形式内容であり、上記のように設定されたルール定義ファイル（図８、図９）を簡単に変更することができる。
【００４３】
次に、図１、図２、図６、図７、図１３を参照して、シーケンス回路図上の接続線をハイライト表示する動作について説明する。なお、図１３は、確認ダイアログを示す図である。
【００４４】
確認作業者は、以上のように色情報（電線色、相色別）が線属性として設定されたシーケンス回路図を表示装置２１に表示させた状態で、入力装置１６を操作して表示装置２１に例えば図１３に示すような確認ダイアログを表示させる。
【００４５】
図１３では、電線サイズ確認用のダイアログ（線サイズ確認ダイアログ）が示されている。すなわち、図１３では、表題「線サイズ」と「選択ウインドウ」とが表示されている。選択ウインドウのボタン▼をマウスなどで操作すると線サイズの選択リストが表示されるので、その中から１つの線サイズを選択指定する。線サイズの選択リストは、図４に示した電線サイズマスタファイルに基づき作られている。
【００４６】
選択操作が終了し、ＯＫボタンをマウスなどで操作すると、当該線サイズ設定ダイアログが消えてシーケンス回路図のみが表示装置２１に表示された状態となる。電線色や相色別についても同様の形式内容である。つまり、確認作業者は、確認したい電線の電線サイズや電線色、相色別に対応した確認ダイアログを各別に表示させ、選択操作を行う。それに応答して、制御装置２３は、指定された電線サイズや色情報（電線色、相色別）と同じ電線サイズや同じ色情報（電線色、相色別）を有する接続線を当該表示されているシーケンス回路図上において検索する。
【００４７】
例えば、図２において、Ａ接点５４ＤＸの端子番号Ｆから下に延びている電線の線サイズを指定すると、Ａ接点５４Ａ１の端子番号Ｈから下に延びている電線とコイル５４ＸＸの端子番号２から下に延びている電線とヒューズＲ２００Ωの端子番号１から上に延びている電線とこれらを結ぶ水平線とが検索される。
【００４８】
次いで、制御装置２３は、ハイライト色を図６に示すハイライト色設定ファイルと図７に示す色設定ファイルとを用いて決定し、検索した全ての接続線を前記決定した色でハイライト表示する。ハイライト色の決定は次のようにして行われる。
【００４９】
すなわち、ハイライト色設定ファイルでは、ハイライト色＜Ｈｉｌｉｔｅ＿Ｔｉｔｌｅ＞として「赤」「オレンジ」「ブルー」「水色」「ピンク」のいずれかを選択することができる。そして、＜Ｈｉｌｉｔｅ＿Ｎｏ＞で定義の番号は、図７に示す色設定ファイルでの行番号を表している。色情報設定ファイルは、「＃ＲＲＧＧＢＢ」の形式で記述されている。ＲＲは赤の輝度、ＧＧは緑の輝度、ＢＢは青の輝度を表している。
【００５０】
例えば、ハイライト色設定ファイルにおいて、＜Ｈｉｌｉｔｅ＿Ｔｉｔｌｅ＞赤を選択すると、＜Ｈｉｌｉｔｅ＿Ｎｏ＞１１＜／Ｈｉｌｉｔｅ＿Ｎｏ＞に従って色情報設定ファイルを検索し、１１行目の色「＃ＦＦ００００」をハイライト色と決定するようになっている。
【００５１】
次に、制御装置２３は、以上のように色情報（電線色、相色別）が線属性として設定されたシーケンス回路図から色情報（電線色、相色別）を取り出し、器具中心線表設定ファイル１９に設定する。これによって、図１４に示す器具中心線表が得られる。その結果、裏面配線図も自動的に作成することができることは言うまでもない。
【００５２】
【発明の効果】
以上説明したように、この発明によれば、シーケンス回路図の回路毎に線番属性の命名パターンを定義したルール定義ファイルを用意したので、シーケンス回路図上の回路毎に色情報を線番属性として設定することができ、その後の変更もシーケンス回路図上に設定することができる。これによって、器具中心線表や裏面接続図を効率よく作成することができる。
【００５３】
また、前記色情報が線属性として設定されたシーケンス回路図を表示する画面において、接続線を指定してハイライト表示させることができるので、設定内容の確認が簡単に行えるようになる。
【図面の簡単な説明】
【図１】この発明の一実施の形態であるシーケンス回路図結線情報設定装置の構成を示すブロック図である。
【図２】図１に示したシーケンス回路図作成装置が作成したシーケンス回路図の一例を示す図である。
【図３】図１に示した電線色マスタファイルの一例を示す図である。
【図４】図１に示した電線サイズマスタファイルの一例を示す図である。
【図５】図１に示した相色別マスタファイルの一例を示す図である。
【図６】図１に示したハイライト色設定ファイルの一例を示す図である。
【図７】図１に示した色情報設定ファイルの一例を示す図である。
【図８】図１に示した電線色設定用ルール定義ファイルの一例を示す図である。
【図９】図１に示した相色別設定用ルール定義ファイルの一例を示す図である。
【図１０】線色一括設定ダイアログを示す図である。
【図１１】相色別一括設定ダイアログを示す図である。
【図１２】個別設定ダイアログを示す図である。
【図１３】確認ダイアログを示す図である。
【図１４】作成された器具中心線表の一例を示す図である。
【符号の説明】
１１  電線色マスタファイル、１２  電線サイズマスタファイル、１３  相色別マスタファイル、１４  ハイライト色設定ファイル、１５  色情報設定ファイル、１６  入力装置、１７  電線色設定用ルール定義ファイル、１８  相色別設定用ルール定義ファイル、１９  器具中心線表設定ファイル、２０  シーケンス回路図作成装置、２１  表示装置、２２  出力装置、２３  制御装置、２４  バス。
【図１】
2004287739.tif 000003
【図２】
2004287739.tif 000004
【図３】
2004287739.tif 000005
【図４】
2004287739.tif 000006
【図５】
2004287739.tif 000007
【図６】
2004287739.tif 000008
【図７】
2004287739.tif 000009
【図８】
2004287739.tif 000010
【図９】
2004287739.tif 000011
【図１０】
2004287739.tif 000012
【図１１】
2004287739.tif 000013
【図１２】
2004287739.tif 000014
【図１３】
2004287739.tif 000015
【図１４】
2004287739.tif 000016